(57)【要約】【課題】フードの紛失を防止することができるキャディバッグを提供する。【解決手段】本考案に係るキャディバッグ１は、ゴルフクラブが収納される有底のキャディバッグ本体２と、このキャディバッグ本体２の上部開口部を覆うフード３と、キャディバッグ本体２に設けられ、フード３を収納するフード収納部４とを有し、フード３の一部がフード収納部４の内部に取り付けられていることを特徴とする。フード収納部４の開口部にはファスナーを設けることができる。【選択図】図１
0003176406.tif 000002
【実用新案登録請求の範囲】
【請求項１】
ゴルフクラブが収納される有底のキャディバッグ本体と、
前記キャディバッグの上部開口部を覆うフードと、
前記キャディバッグ本体に設けられ、前記フードを収納するフード収納部とを有し、
前記フードの一部が前記フード収納部の内部に取り付けられていることを特徴とするキャディバッグ。
【請求項２】
前記フード収納部は前記キャディバッグ本体の左側下方に延在する形状及び右側下方に延在する形状を有しており、当該フード収納部の左右の下端部がベルトを介して前記キャディバッグ本体に固定される請求項１に記載のキャディバッグ。
【請求項３】
前記フード収納部の開口部にファスナーが設けられている請求項１又は２に記載のキャディバッグ。
【請求項４】
前記フードにファスナーが設けられている請求項１〜３のいずれか１項に記載のキャディバッグ。
【請求項５】
前記フード収納部が前記キャディバッグ本体に対して着脱可能である請求項１〜４のいずれか１項に記載のキャディバッグ。
【請求項６】
前記フード収納部が前記キャディバッグ本体に縫い付けられている請求項１〜４のいずれか１項に記載のキャディバッグ。
【請求項７】
前記フードが前記フード収納部に対して着脱可能である請求項１〜６のいずれか１項に記載のキャディバッグ。
【請求項８】
前記キャディバッグ本体の上部に、前記フードを固定する固定具が設けられている請求項１〜７のいずれか１項に記載のキャディバッグ。
【考案の詳細な説明】
【技術分野】
【０００１】
本考案は、ゴルフクラブを収納するキャディバッグに関するものである。
【背景技術】
【０００２】
ゴルフ競技やゴルフ練習等で使用するキャディバッグは、ゴルフクラブを収納し外殻が硬質の樹脂材料等で構成された丸型筒状又は角型筒状の有底キャディバッグ本体と、このキャディバッグ本体のサイド部や下部に形成された、ゴルフ用具（例えば雨具、シューズ、ゴルフボール、ティー、手袋等）を収納するポケット部とを備えている。キャディバッグ本体の表面には合成皮革又は合成繊維等からなる表装材を設けることがある。
【０００３】
キャディバッグ本体の内部はセパレート部材によって複数の区画に区分けされており、該区画にドライバー等のウッド系の長いゴルフクラブや、ロングアイアン、ミドルアイアン、ショートアイアン、及びウェッジ系の短いゴルフクラブ等を収納できる。
【０００４】
プレーヤー等の使用者がキャディバッグ本体からゴルフクラブを抜き出し易くするために、ゴルフクラブの収納時には該ゴルフクラブのヘッド部やホーゼル部又はクラブシャフトがキャディバッグ本体の上部開口部から突出するようになっている。
【０００５】
このようなキャディバッグ本体には上部開口部を覆うフード（バッグカバー）が設けられている（例えば、特許文献１及び２参照）。このフードによってゴルフクラブのヘッド部等が保護される。
【先行技術文献】
【特許文献】
【０００６】
【特許文献１】実開平７−３４８６２号公報
【特許文献２】登録実用新案第２６０１３０７号公報
【考案の概要】
【考案が解決しようとする課題】
【０００７】
フードはキャディバッグ本体に対して着脱可能に設けられることがあるが、使用者がゴルフクラブを取り出す際にキャディバッグ本体からフードを取り外すことによって該フードがキャディバッグから分離することがある。そのため、取り外したフードを収納する場所に困ったり、紛失したりする場合が多く生じていた。また、フードをキャディバッグ本体から取り外さないにしても、ファスナーによりフードが広げられた状態では該フードが障害物に引っかかり、裂かれたりしてしまう虞もあった。
【０００８】
本考案は上記のような従来の事情を鑑みてなされたものであり、本考案の目的は、フードの紛失を防止することができるキャディバッグを提供することである。
【課題を解決するための手段】
【０００９】
本考案に係るキャディバッグは、
ゴルフクラブが収納される有底のキャディバッグ本体と、
前記キャディバッグ本体の上部開口部を覆うフードと、
前記キャディバッグ本体に設けられ、前記フードを収納するフード収納部とを有し、
前記フードの一部が前記フード収納部の内部に取り付けられていることを有することを要旨とする。
【００１０】
フードの一部をフード収納部の内部に取り付けるとは、フードを広げた状態の当該フードの周縁部をフード収納部の内部に取り付けることを含む。
【００１１】
フード収納部には開口を設けることができ、当該開口に例えばファスナーや面ファスナーなどを設けることでこの開口の開閉を行うことができる。これにより、フード収納部内にフードを収納でき、また該フード収納部からフードを取り出すことができる。
【００１２】
本考案において、前記フード収納部は前記キャディバッグ本体の左側下方に延在する形状及び右側下方に延在する形状を有しており、当該フード収納部の左右の下端部を、ベルトを介して前記キャディバッグ本体に固定することができる。
【００１３】
本考案において、前記フードにファスナーを設けることができる。このファスナーによりフードを広げた状態と狭めた状態とにすることが可能となる。
【００１４】
フードをフード収納部に収納する際には、まず、キャディバッグ本体の上部開口部を覆っているフードのファスナーを開くことで、キャディバッグ本体の上部開口部からフードを外すこと（被覆状態を解除すること）ができる。そして、上記ファスナーによりフードを閉じた状態（狭めた状態）にしてこのフードを折り畳んだり丸めたりして収納することができる。
【００１５】
一方、キャディバッグ本体の上部開口部をフードで覆う際には、フード収納部からフードを取り出して、上記ファスナーによりフードを広げた状態にして該フードをキャディバッグ本体の上部開口部に被せる。その後、フードを上記ファスナーにより閉じた状態にすることでキャディバッグ本体の上部開口部を該フードで覆うことができる。
【００１６】
本考案において、前記フード収納部を前記キャディバッグ本体に対して着脱可能にすることができる。これにより、フード収納部が損傷を受けた場合や該フード収納部をクリーニングしたい場合に交換することができる。
【００１７】
本考案において、前記フード収納部を前記キャディバッグ本体に縫い付けることにより固定することができる。
【００１８】
本考案において、前記フードを前記フード収納部に対して着脱可能にすることができる。これにより、フードが損傷を受けた場合や該フードをクリーニングしたい場合に交換することができる。
【００１９】
本考案において、前記キャディバッグ本体の上部に、前記フードを固定する固定具を設けることができる。固定具を介してフードをキャディバッグ本体の上部に固定することで、フードが安定しキャディバッグ本体の上部開口部を覆い易くなる。
【考案の効果】
【００２０】
本考案に係るキャディバッグによれば、フードの一部がフード収納部の内部に取り付けられていることによって、フードをキャディバッグ本体から取り外すことなく、該フードを折り畳んでフード収納部内に収納できる。これにより、フードが紛失することを防止できる。また、フードをフード収納部に収納することで、キャディバッグの見栄え（シルエット）を損なうことなく、持ち運びがし易くなる。
【図面の簡単な説明】
【００２１】
【図１】本考案の一実施形態に係るキャディバッグの全体構成を示す斜視図である。
【図２】キャディバッグ本体の上部開口部からフードを外した状態（被覆を解除した状態）のキャディバッグを示す斜視図である。
【図３】フードをフード収納部に収納する前段階の状態のキャディバッグを示す斜視図である。
【図４】フード収納部内にフードを収納した状態のキャディバッグを示す斜視図である。
【図５】他の実施形態に係るキャディバッグを示す部分断面図である。
【考案を実施するための形態】
【００２２】
以下、図面に示した実施の形態に基づいて本考案を詳細に説明する。
【００２３】
図１は本考案の一実施形態に係るキャディバッグの全体構成を示す斜視図である。
【００２４】
図１において、本考案に係るキャディバッグ１は、可撓性シートで構成することができ、上部が開口された有底筒状のキャディバッグ本体２と、このキャディバッグ本体２の上部開口部を覆うフード３と、このフード３を収納することができ、キャディバッグ本体２に固定されたフード収納部４とを備えている。フード３の一部はフード収納部４の内部に取り付けられている。
【００２５】
本考案に係るキャディバッグ１によれば、フード３の一部がフード収納部４の内部に取り付けられていることによって、当該フード３をキャディバッグ本体２から分離させることなく、フード３を折り畳んでフード収納部４内に収納できる。これにより、フード３が紛失することを防止できる。また、フード３をフード収納部４に収納することで、キャディバッグ１の見栄え（シルエット）を損なうことなく、持ち運びがし易くなる。
【００２６】
キャディバッグ本体２の下部には該キャディバッグ本体２を支持する底部５が設けられている。
【００２７】
また、フード３にはキャディバッグ本体２の上部開口部を覆って当該フード３を袋状にする状態と、該上部開口部を覆わずに面状に広げた状態とにするためのファスナー３ａが設けられている。
【００２８】
図１に示すように、フード３によりキャディバッグ本体２の上部開口部を覆った状態においては、つまみ３０はファスナー３ａの下側の一方端３１から頂部付近の他方端３２までの間を移動できるようになっている。
【００２９】
キャディバッグ本体２内にゴルフクラブを収納した後、このキャディバッグ本体２の上部開口部をフード３により覆うことで該ゴルフクラブが保護される。例えば、キャディバッグ１をゴルフカートで輸送中に又は使用者が持ち運び中に、誤ってキャディーバック１が転倒したときの衝撃によりクラブヘッド等が損傷を受けることを防止できる点でフード３は重要な役割を果たしている。
【００３０】
キャディバッグ本体２に用いることができる上記可撓性シートの素材としては、防水処理を施したキャンバス地又はナイロン地等の織物や、合成皮革や樹脂シート等を採用できる。
【００３１】
フード収納部４は、キャディバッグ本体２の周囲の一部を取り囲むようにして該フード収納部４の上周縁部を該キャディバッグ本体２に縫い付けて固定できる。フード収納部４はキャディバッグ本体２に対して着脱可能に設けることも可能である。
【００３２】
また、フード収納部４はキャディバッグ本体２の左側下方に延在する下端部４ａ及び右側下方に延在する下端部（図示せず）を有している。フード収納部４の左右の下端部４ａを、ベルト６を介してキャディバッグ本体２に固定できる。詳細には、フード収納部４の各下端部４ａに固定されている各ベルト６の一端にプラスチックバックル７が取り付けられている。このプラスチックバックル７によってフード収納部４の各下端部４ａをキャディバッグ本体２に固定したり、該固定を解除できるようになっている。
【００３３】
フード収納部４には再帰反射部材４ｂを設けてもよい。夜間における安全性を担保するためである。
【００３４】
キャディバッグ本体２には、キャディバッグ１を持ち運ぶための着脱可能なショルダーベルト８が設けられている。このショルダーベルト８は、キャディバッグ本体２に取り付けられた金具９ａ，９ｂを介して取り付けることができる。
【００３５】
ショルダーベルト８の内部には、布やスポンジ等からなるクッション材を封入することができ、このクッション材によってショルダーベルト８が肩に柔軟に当接するように構成することができる。
【００３６】
また、キャディバッグ本体２に１又は複数のポケット１０を設けてもよい。このポケット１０内に例えば雨具、ゴルフボール、又は手袋等のゴルフ用具等を収納することができる。
【００３７】
図２はキャディバッグ本体２の上部開口部からフード３を外した状態（被覆を解除した状態）のキャディバッグ１を示す斜視図である。
【００３８】
図２において、ファスナー３ａによりフード３は開いた状態となっている。使用者はファスナー３ａによりフード３を広げた状態にすることで、フード３でキャディバッグ本体２の上部開口部１１を覆った状態を解除することができ、該上部開口部１１を露出させてゴルフクラブを取り出すことができる。
【００３９】
キャディバッグ本体２の上部開口部１１は複数のセパレート部材１２により複数の区画に仕切ることができる。使用者はゴルフクラブをこの複数の区画に分けて収納できる。
【００４０】
キャディバッグ本体２の上部にフード３を固定する１又は複数の固定具１３を設けることができる。固定具１３はフード３の裏面に設けられている固定具１４と嵌合するドットボタン止め構造となっている。上部開口部１１をフード３で覆う際にフード３の固定具１４を固定具１３に嵌合させることでフード３が安定し、上部開口部１１を覆い易くなる。
【００４１】
図３はフード３をフード収納部４に収納する前段階の状態のキャディバッグ１を示す斜視図である。
【００４２】
図３において、フード収納部４の開口部にファスナー４ｃを設けることができる。このファスナー４ｃによりフード収納部４の開口部の開閉を行うことができる。上述したように、フード３の一部をフード収納部４の内部に縫い付けることによって当該フード３を固定できる。なお縫い付けではなく、着脱可能な仕様として、例えばファスナー止め、面ファスナー止め、又はドットボタン止め等を採用することもできる。これにより、フード３が損傷を受けた場合や該フード３をクリーニングしたい場合に交換できる。
【００４３】
使用者はフード３をフード収納部４内に収納する際には、図３に示すように該フード３を丸め畳んだ状態（体積の小さい状態）にすることが好ましい。これにより、フード３をフード収納部４内に収納し易くなる。フード３をフード収納部４内に収納した後は、ファスナー４ｃにより該フード収納部４の開口部を閉じることができる。
【００４４】
図４はフード収納部４内にフード３を収納した状態のキャディバッグ１を示す斜視図である。
【００４５】
図４に示すように、フード収納部４に１又は複数の小収納部１５やティーホルダー１６を設けることができる。
【００４６】
次に、本考案のキャディバッグ１の使用方法（フード３の収納方法及び取り出し方法）について説明する。
【００４７】
フード３をフード収納部４内に収納する際には、まず上部開口部１１を覆っているフード３のファスナー３ａを開くことで、上部開口部１１からフードを外すこと（被覆状態を解除すること）ができる。そして、ファスナー３ａによりフード３を閉じた状態にしてこのフード３を折り畳んだり丸め畳んだりして、フード収納部４内に収納できる。
【００４８】
一方、上部開口部１１をフード３で覆う際には、ファスナー４ｃによりフード収納部４内からフード３を取り出して、ファスナー３ａによりフード３を広げた状態にして該フード３を上部開口部１１に被せる。その後、フード３をファスナー３ａにより閉じた状態にすることによって、上部開口部１１をフード３で覆うことができる。
【００４９】
従来キャディバッグ本体の上部開口部からゴルフクラブを露出させた状態では、該フードがキャディバッグ本体の外側方向に突出してしまい、障害物に引っかかり、裂かれたりしてしまうことがあった。一方、本考案によれば、上部開口部１１からゴルフクラブを露出させた状態であっても、フード３をフード収納部４内に収納できるように構成したので、当該フード３が障害物に引っかかり、裂かれたりしてしまう虞もなくなる。
【００５０】
なお、図５に示すように、フード３の表面に、該フード３の一部の領域を折り畳んで重ねられた重畳部分３ｂを固定できる重畳部固定具３ｃを設けてもよい。長さが比較的短いゴルフクラブ（女性プレーヤー用等）をキャディバッグ本体２に収納する場合、上部開口部１１を覆った状態のフード３の高さが低くなるように調節することが可能となる。
【００５１】
以上が本考案を実施するための形態であるが、本考案はもとより上記実施形態によって制限を受けるものではなく、本考案の趣旨に適合し得る範囲で適当に変更を加えて実施することも勿論可能であり、それらはいずれも本考案の技術的範囲に包含される。
【符号の説明】
【００５２】
１  キャディバッグ
２  キャディバッグ本体
３  フード
３ａ  ファスナー
４  フード収納部
４ａ  下端部
４ｂ  再帰反射部材
４ｃ  ファスナー
５  底部
６  ベルト
７  プラスチックバックル
８  ショルダーベルト
９ａ，９ｂ  金具
１０  ポケット
１１  上部開口部
１３  固定具
１５  小収納部
１６  ティーホルダー
【図１】
0003176406.tif 000003
【図２】
0003176406.tif 000004
【図３】
0003176406.tif 000005
【図４】
0003176406.tif 000006
【図５】
0003176406.tif 000007